(57)【要約】【課題】活性汚泥法、接触曝気法、回転円板法、担体法や膜分離活性汚泥法等の高度な生物処理方法を用いずに、簡易な構成で浸出水中の有機物を処理し、さらにこの浸出水を利用して廃棄物をも処理すること。【解決手段】好気性生物膜が表面に生成される濾材からなり、上部に廃棄物層Ｒが形成される石積み濾床２と、廃棄物層Ｒから発生し、石積み濾床２内を通過した水を集水して石積み濾床２外へ排水する集排水管３と、石積み濾床２の下部に通気する通気部３２と、集排水管３の排水を廃棄物層Ｒ上に散水する散水管５とを有する。【選択図】図２
2010142693.tif 000002
【特許請求の範囲】
【請求項１】
好気性生物膜が表面に生成される濾材からなる濾床上部に廃棄物層を形成すること、
前記廃棄物層から発生し、前記濾床内を通過した水を集水して前記濾床外へ排水すること、
この排水を前記廃棄物層上に散水すること、
前記濾床の下部に通気すること
を含む廃棄物処理方法。
【請求項２】
前記廃棄物層の内部温度が４０〜７０℃であることを特徴とする請求項１記載の廃棄物処理方法。
【請求項３】
前記濾床の下部への通気は、自然通気または強制通気により行うことを特徴とする請求項１または２に記載の廃棄物処理方法。
【請求項４】
好気性生物膜が表面に生成される濾材からなり、上部に廃棄物層が形成される濾床と、
前記廃棄物層から発生し、前記濾床内を通過した水を集水して前記濾床外へ排水する集排水装置と、
前記濾床の下部に通気する通気部と、
前記集排水装置の排水を前記廃棄物層上に散水する散水装置と
を有する廃棄物処理設備。
【請求項５】
前記集排水装置の排水を溜める浸出水調整部を有し、
前記散水装置は、前記浸出水調整部の水を前記廃棄物層上まで汲み上げるためのポンプを備えたものである
請求項４記載の廃棄物処理設備。
【請求項６】
前記通気部への通気は、自然通気または強制通気により行うものである請求項４または５に記載の廃棄物処理設備。
【請求項７】
前記廃棄物層の上方を覆う覆蓋を有する請求項４から６のいずれかに記載の廃棄物処理設備。
【発明の詳細な説明】
【技術分野】
【０００１】
本発明は、廃棄物層から発生する浸出水を利用して廃棄物を処理する廃棄物処理方法および廃棄物処理設備に関する。
【背景技術】
【０００２】
廃棄物最終処分場において埋め立てられた廃棄物層内から発生する浸出水中の有機物（主としてＢＯＤ（生物化学的酸素要求量）成分）は、活性汚泥法、接触曝気法、回転円板法、担体法や膜分離活性汚泥法等の高度な生物処理方法によって処理されている。また、これらの生物処理方法では、浸出水と生物フロックが混合、攪拌されている曝気槽内に空気を吹き込み、ここで汚水生物からなる生物フロックを生成させ、この生物フロックに有機物を吸着、分解させ、最後に沈殿槽にて生物フロックを沈降させて水質を浄化する方法が一般的である。
【０００３】
ところが、これらの高度な生物処理方法は建設費が嵩み、薬剤等の消耗品や設備の点検保守等の維持管理費用も高価である。また、これらの高度な生物処理方法では、運転のために高度な専門技術による管理が必要である。そこで、例えば特許文献１には、浸出水の処理量を軽減するために、廃棄物最終処分場から発生する浸出水を循環水路に返送し、循環水路において蒸発させる方法が提案されている。また、この方法では、循環水路および廃棄物最終処分場の底部に砕石を配置して、この砕石についた微生物による浸出水の浄化を行っている。
【０００４】
また、特許文献２には、浸出水の蒸発を促進するため、埋立廃棄物層の表層部に浸出水を一時貯溜するとともに埋立廃棄物層内に浸透させる浸透桝を設ける一方、埋立廃棄物層の深層部に浸出水を集水するとともに排水する浸出水集・排水路を設けて、この浸出水集・排水路から排水された浸出水を、環流路を介して上記浸透桝に環流させて、浸出水を循環させる廃棄物の埋立処分システムが提案されている。
【０００５】
また、特許文献３には、埋め立てた廃棄物に散水して、廃棄物より浸出した浸出水を引き抜き、引き抜いた浸出水に、生物処理、凝集沈殿処理、砂濾過や活性炭吸着などの浸出水処理を施して、浸出水中の有害物質を除去し、有機物質を除去した処理水を循環返送して前記廃棄物に散水する方法が提案されている。
【０００６】
【特許文献１】特開２００７−５０３２６号公報
【特許文献２】特開２００２−２５４０４８号公報
【特許文献３】特開平１０−５７１４号公報
【発明の開示】
【発明が解決しようとする課題】
【０００７】
上記特許文献１〜３に記載の方法は、いずれも浸出水の処理量を減らすためのものであるが、後段には前述のような高度な生物処理方法を実行する浸出水処理設備が設けられている。そのため、これらの方法では運転費用を減らすことができるものの、運転のために高度な専門技術による管理が必要であることに変わりない。
【０００８】
特に、開発途上国においては、前述のような高度な生物処理方法は建設費が嵩むため普及しておらず、浸出水が垂れ流しの状態であり、浸出水処理施設のない廃棄物最終処分場が多い。また、開発途上国では、浸出水処理設備の維持管理のための高度な技術を保有した人材の確保が困難であり、維持管理費用がさらに大きくなる等の問題がある。
【０００９】
そこで、本発明においては、廃棄物層から発生する浸出水中の有機物を処理するに際し、活性汚泥法、接触曝気法、回転円板法、担体法や膜分離活性汚泥法等の高度な生物処理方法を用いずに、簡易な構成で浸出水中の有機物を処理し、さらにこの浸出水を利用して廃棄物をも処理することが可能な廃棄物処理方法および廃棄物処理設備を提供することを目的とする。
【課題を解決するための手段】
【００１０】
本発明の廃棄物処理方法は、好気性生物膜が表面に生成される濾材からなる濾床上部に廃棄物層を形成すること、廃棄物層から発生し、濾床内を通過した水を集水して濾床外へ排水すること、この排水を廃棄物層上に散水すること、濾床の下部に通気することを含むことを特徴とする。
【００１１】
また、本発明の廃棄物処理設備は、好気性生物膜が表面に生成される濾材からなり、上部に廃棄物層が形成される濾床と、廃棄物層から発生し、濾床内を通過した水を集水して濾床外へ排水する集排水装置と、濾床の下部に通気する通気部と、集排水装置の排水を廃棄物層上に散水する散水装置とを有するものである。
【００１２】
本発明の廃棄物処理方法および廃棄物処理設備によれば、好気性生物膜が表面に生成される濾材からなる濾床上部に廃棄物層が形成されることで、廃棄物層から発生した浸出水は濾床内を通過し、濾材表面の好気性生物膜と接触する。これにより、浸出水中の有機物は、濾材表面の好気性生物膜により吸着および分解（酸化分解）され、浄化される。そして、この濾床内を通過して浄化された水は集水されて濾床外へ排水され、再度廃棄物層上に散水されることにより、廃棄物層中の有機物および有機物の分解により生じた汚水を吸収して、再び濾床内を通過する。
【００１３】
また、本発明の廃棄物処理方法および廃棄物処理設備では、濾床下部への通気によって、濾材表面の好気性生物膜に酸素が供給されるとともに、廃棄物層内にも酸素が供給され、廃棄物層内において好気性微生物による酸化分解が行われる。このとき、廃棄物層の内部温度は４０〜７０℃程度に上昇するので生物活性が増すとともに、濾床下部から供給される酸素は廃棄物層内を上昇し、廃棄物層内において好気性微生物による酸化分解に利用される。これにより、廃棄物層の廃棄物（有機物）は堆肥化される。
【００１４】
ここで、本発明の廃棄物処理設備は、集排水装置の排水を溜める浸出水調整部を有し、散水装置は、浸出水調整部の水を廃棄物層上まで汲み上げるためのポンプを備えたものであることが望ましい。これにより、濾床内を通過して浄化された集排水装置の排水を浸出水調整部に溜めて、廃棄物層上まで汲み上げて散水し、繰り返し廃棄物層および濾床と接触させることができる。
【００１５】
また、本発明の廃棄物処理設備は、濾床の下部に通気する通気部を有するものであることが望ましい。これにより、空気が濾床の内部まで供給されやすくなり、好気性生物膜による酸化分解が活発に行われる。さらに、この空気は濾床上部の廃棄物層の内部まで供給されやすくなるので、廃棄物層内の好気性微生物による酸化分解も活発に行われる。
【００１６】
なお、濾床の下部への通気は、自然通気または強制通気のいずれでも行うことが可能である。自然通気により濾床の下部への通気を行う場合、省エネルギーであり、好気性生物膜および好気性微生物による酸化分解が活発に行われる。また、強制通気の場合、新鮮な外気を強制的に取り込むので、より活発に酸化分解が行われるようになる。このとき、強制通気は、太陽光や風力などの自然エネルギーを利用して行わせることが好ましい。
【００１７】
また、本発明の廃棄物処理設備は、廃棄物層の上方を覆う覆蓋を有するものであることが望ましい。これにより、廃棄物層内への雨水の流入が防止され、浸出水は廃棄物層の保有水と有機物の酸化分解により生じた汚水のみとなるので、浸出水量の増加を防止することができる。
【発明の効果】
【００１８】
（１）好気性生物膜が表面に生成される濾材からなる濾床上部に廃棄物層を形成し、廃棄物層から発生し、濾床内を通過した水を集水して濾床外へ排水し、この排水を廃棄物層上に散水するとともに、濾床の下部に通気する構成により、濾材表面に好気性生物膜が生成され、廃棄物層から発生した浸出水は濾床内を通過する際に、この濾材表面の好気性生物膜と接触して、浸出水中の有機物は吸着および分解され、浄化される。これにより、活性汚泥法、接触曝気法、回転円板法、担体法や膜分離活性汚泥法等の高度な生物処理方法を用いずに、簡易な構成で浸出水中の有機物が処理される。また、濾床下部への通気によって、濾材表面の好気性生物膜に酸素が供給されるとともに、廃棄物層内にも酸素が供給され、廃棄物層内において好気性微生物による酸化分解が行われるので、廃棄物層の廃棄物が堆肥化され、再利用することが可能となる。
【００１９】
（２）濾床の下部に通気する通気部を有することにより、空気が濾床の内部まで供給されやすくなり、好気性生物膜による酸化分解が活発に行われるとともに、この空気は濾床上部の廃棄物層の内部まで供給されやすくなり、廃棄物層内の好気性微生物による酸化分解も活発に行われるので、効率良く浸出水の浄化および廃棄物の堆肥化を行うことが可能となる。
【００２０】
（３）濾床の下部への通気は、自然通気または強制通気のいずれでも行うことが可能である。自然通気により濾床の下部への通気を行う場合、省エネルギーであり、好気性生物膜および好気性微生物による酸化分解が活発に行われる。また、強制通気の場合、新鮮な外気を強制的に取り込むので、より活発に酸化分解が行われるようになる。このとき、強制通気は、太陽光や風力などの自然エネルギーを利用して行わせることで、省エネルギーとなる。
【００２１】
（４）廃棄物層の上方を覆う覆蓋を有することにより、廃棄物層内への雨水の流入が防止され、浸出水は廃棄物層の保有水と有機物の酸化分解により生じた水のみとなるので、浸出水量の増加を防止することができ、運転費用を減らすことが可能となる。
【発明を実施するための最良の形態】
【００２２】
図１は本発明の実施の形態における廃棄物処理設備の概略縦断面図、図２は図１のＡ−Ａ断面図である。
【００２３】
図１および図２において、本発明の実施の形態における廃棄物処理設備は、廃棄物が埋め立てられて廃棄物層Ｒが形成される埋立槽１と、この埋立槽１の底部に形成される石積み濾床２と、廃棄物層Ｒから発生し、石積み濾床２内を通過した水を集水して石積み濾床２外へ排水する集排水装置を構成する集排水管３と、集排水管３の排水を一時的に溜める浸出水調整部としての浸出水調整槽４と、浸出水調整槽４内の水を廃棄物層Ｒの上方の散水管５まで汲み上げる水中ポンプ６および配管７とを有する。また、この廃棄物処理設備には、埋立槽１および浸出水調整槽４への雨水の流入を防止するための覆蓋８を有する。
【００２４】
石積み濾床２は、濾材としての砕石や栗石などの石を、例えば１．０〜１．５ｍの高さで積み上げたものである。これらの石の直径は、例えば２００〜３００ｍｍ程度である。これらの石には、廃棄物層Ｒから発生する浸出水が接触することによって表面に好気性生物膜が生成される。この好気性生物膜により、浸出水中の有機物は吸着および分解（酸化分解）される。なお、石積み濾床２は、浸出水の接触によって表面に好気性生物膜が生成されるものであれば良く、プラスチック塊やコンクリート塊などにより形成することも可能である。
【００２５】
集排水管３は、石積み濾床２内を通過した水を集水して石積み濾床２外の浸出水調整槽４へ排水するものである。集排水管３の直径は、例えば４００〜１０００ｍｍ程度である。集排水管３の胴体には、複数の集水口（図示せず。）が設けられている。埋立槽１の下面は、集排水管３が設けられている中央部分が低くなるように傾斜面が形成されており、廃棄物層Ｒを通過した水は集排水管３部分に集まり、複数の集水口から集排水管３内に流入して、浸出水調整槽４へと排水される。
【００２６】
散水管５は、水中ポンプ６および配管７とともに散水装置を構成するものであり、浸出水調整槽４から汲み上げた水を廃棄物層Ｒへ広く散水するものである。なお、図２においては、散水管５は１本であるが、埋立槽１内の廃棄物層Ｒへ満遍なく散水するために、必要に応じて複数本を並設することも可能である。なお、図１〜図３において散水管５は空気中に設けているが、廃棄物層Ｒの中、具体的には表面から０．５〜１．０ｍの深さの地中に設けることもある。
【００２７】
上記構成の廃棄物処理設備では、好気性生物膜が表面に生成される濾材からなる石積み濾床２上部に廃棄物層Ｒが形成されることで、廃棄物層Ｒから発生した浸出水は石積み濾床２内を通過し、石表面の好気性生物膜と接触する。これにより、浸出水中の有機物（ＢＯＤ成分）は、石表面の好気性生物膜により吸着および分解され、浄化される。
【００２８】
こうして、石積み濾床２内を通過して浄化された水は、集排水管３により集水され、浸出水調整槽４へと排水される。そして、浸出水調整槽４に設置される水中ポンプ６および配管７により廃棄物層Ｒ上の散水管５へ送水され、散水管５から繰り返し廃棄物層Ｒ上に散水されることにより、廃棄物層Ｒの有機物および有機物の分解により生じた汚水を吸収（洗い出し）して、石積み濾床２内を通過する。
【００２９】
なお、この廃棄物処理設備では、好気性生物膜による浸出水の酸化分解に必要な酸素は、集排水管３により供給される。図１に示すように集排水管３の排水口３０は浸出水調整槽４の水面よりも上に設けられており、浸出水調整槽４の水面は水位センサーにより常に排水口３０よりも下となるように管理されている。これにより、図２に示すように集排水管３内は、下部は処理水が通過する通水部３１、上部は空気が通過する通気部３２となるので、この集排水管３の通気部３２を通じて空気が石積み濾床２の内部へ供給される。
【００３０】
また、この廃棄物処理設備では、石積み濾床２下部への通気によって、石積み濾床２の石表面の好気性生物膜に空気が供給されるとともに、廃棄物層Ｒにも空気が供給され、廃棄物層Ｒにおいて好気性微生物による酸化分解が行われる。このとき、廃棄物層Ｒの内部温度は４０〜７０℃程度に上昇しているので生物活性が増すとともに、石積み濾床２下部から供給される空気は廃棄物層Ｒ内を上昇し、廃棄物層Ｒ内において好気性微生物による酸化分解に利用される。これにより、廃棄物層Ｒの廃棄物は堆肥化される。
【００３１】
以上のように、本実施形態における廃棄物処理設備では、活性汚泥法、接触曝気法、回転円板法、担体法や膜分離活性汚泥法等の高度な生物処理方法を用いずに、簡易な構成で浸出水中の有機物を処理することができる。したがって、建設費は安価となり、維持管理のための技術者の確保が容易となり、維持管理費も小さくできる。
【００３２】
また、この廃棄物処理設備では、石積み濾床２下部への通気によって、石表面の好気性生物膜に酸素が供給されるとともに、廃棄物層Ｒ内にも酸素が供給され、廃棄物層Ｒ内において好気性微生物による酸化分解が行われるので、廃棄物層Ｒの廃棄物が堆肥化され、再利用することが可能である。その後、埋立槽１内へ新しい廃棄物を投入して、廃棄物が安定するまでの一定期間浸出水を循環させることにより、浸出水を処理することが可能である。
【００３３】
また、本実施形態における廃棄物処理設備では、自然通気により石積み濾床２および廃棄物層Ｒの内部まで新鮮空気が供給されるので省エネルギーであり、好気性生物膜および好気性微生物による酸化分解が活発に行われる。また、図１の例では、上部に送風機９およびガス処理設備１０を有しており、送風機９により新鮮な外気を強制的に設備内に取り込み、この取り込んだ空気量と同量の排気ガスを、ガス処理設備１０を介して外部へ排出するようにしている。
【００３４】
あるいは、送風機９に代えて図３に示すように吸引ファン１１をガス処理設備１０の前段に設けることも可能である。この場合も同様に、吸引ファン１１により新鮮な外気を強制的に開口１２から設備内に取り込んで、この取り込んだ空気量と同量の排気ガスを、ガス処理設備１０を介して外部へ排出すれば良い。なお、強制通気のための送風機９や吸引ファン１１は、太陽光や風力などの自然エネルギーを利用して動作させることが好ましい。
【００３５】
また、本実施形態における廃棄物処理設備では、廃棄物層Ｒの上方を覆う覆蓋８を有するので、廃棄物層Ｒ内への雨水の流入が防止されている。したがって、浸出水は廃棄物層Ｒの保有水と廃棄物層Ｒの有機物の酸化分解により生じた水のみとなるので、浸出水量の増加を防止することができ、運転費用を減らすことができる。
【産業上の利用可能性】
【００３６】
本発明の廃棄物処理方法および廃棄物処理設備は、廃棄物層から発生する浸出水を処理して廃棄物を処理する方法および設備として有用である。特に、本発明は、活性汚泥法、接触曝気法、回転円板法、担体法や膜分離活性汚泥法等の高度な生物処理方法を用いずに、簡易な構成で浸出水中の有機物を処理し、さらにこの浸出水を利用して廃棄物をも処理することが可能な廃棄物処理方法および廃棄物処理設備として好適である。
【図面の簡単な説明】
【００３７】
【図１】本発明の実施の形態における廃棄物処理設備の概略縦断面図である。
【図２】図１のＡ−Ａ断面図である。
【図３】本発明の別の実施形態を示す廃棄物処理設備の概略縦断面図である。
【符号の説明】
【００３８】
Ｒ  廃棄物層
１  埋立槽
２  石積み濾床
３  集排水管
４  浸出水調整槽
５  散水管
６  水中ポンプ
７  配管
８  覆蓋
９  送風機
１０  ガス処理設備
１１  吸引ファン
１２  開口
３０  排水口
３１  通水部
３２  通気部
【図１】
2010142693.tif 000003
【図２】
2010142693.tif 000004
【図３】
2010142693.tif 000005